【手続補正書】
【提出日】平成16年2月2日(2004.2.2)
【手続補正１】
【補正対象書類名】明細書
【補正対象項目名】特許請求の範囲
【補正方法】変更
【補正の内容】
【特許請求の範囲】
【請求項１】
略長方形の表示面を持つ薄型の表示部と、
前記表示部を支持するスタンド部と、
前記表示部の背面における略中央部分に固設され、前記表示部を前記スタンド部に対して少なくとも９０°回転可能であるように保持する水平回転軸とを備えた薄型表示装置であって、
前記水平回転軸の回転動作に連動して、該水平回転軸を上下方向に移動させることにより、前記表示部を上下方向に並進動作させる並進動作手段を設けたことを特徴とする薄型表示装置。
【請求項２】
前記請求項１に記載の薄型表示装置において、
前記並進動作手段は、前記スタンド部に設けられていることを特徴とする薄型表示装置。
【請求項３】
前記請求項２に記載の薄型表示装置において、
前記並進動作手段は、前記水平回転軸が回転自在に取り付けられた、上下方向に移動自在の垂直昇降軸と、
前記垂直昇降軸に当接し、前記水平回転軸の回転動作に連動して回転するカム部とを有することを特徴とする薄型表示装置。
【請求項４】
前記請求項３に記載の薄型表示装置において、
前記垂直昇降軸に、前記カム部の回転をガイドするためのガイド部を設けたことを特徴とする薄型表示装置。
【請求項５】
前記請求項３又は４に記載の薄型表示装置において、
前記スタンド部に、前記カム部の回転をガイドするためのガイド部を設けたことを特徴とする薄型表示装置。
【請求項６】
前記請求項３乃至５のいずれかに記載の薄型表示装置において、
前記スタンド部に、前記カム部又は前記水平回転軸の一部と当接して前記水平回転軸の回転範囲を規制する回転規制部を設けたことを特徴とする薄型表示装置。
【請求項７】
前記請求項３乃至６のいずれかに記載の薄型表示装置において、
前記スタンド部の内部に、前記垂直昇降軸を上下移動方向に付勢することにより、前記表示部の回転動作に負荷を与える付勢部を設けたことを特徴とする薄型表示装置。
【請求項８】
前記請求項１に記載の薄型表示装置において、
前記並進動作手段は、前記水平回転軸に設けられていることを特徴とする薄型表示装置。
【請求項９】
前記請求項８に記載の薄型表示装置において、
前記並進動作手段は、上下方向に移動自在な状態で、前記スタンド部に当接し、前記水平回転軸に連動して回転するカム部を有することを特徴とする薄型表示装置。
【請求項１０】
前記請求項９に記載の薄型表示装置において、
前記スタンド部に、前記カム部の回転をガイドするためのガイド部を設けたことを特徴とする薄型表示装置。
【請求項１１】
前記請求項９又は１０のいずれかに記載の薄型表示装置において、
前記スタンド部に、前記カム部又は前記水平回転軸の一部と当接して前記水平回転軸の回転範囲を規制する回転規制部を設けたことを特徴とする薄型表示装置。
【請求項１２】
前記請求項１に記載の薄型表示装置において、
前記並進動作手段は、前記表示部と前記スタンド部との双方に設けられていることを特徴とする薄型表示装置。
【請求項１３】
前記請求項１２に記載の薄型表示装置において、
前記並進動作手段は、前記表示部背面に設けられた少なくとも１つの突起部と、
前記水平回転軸が回転自在に取り付けられた、上下方向に移動自在の垂直昇降軸と、
前記スタンド部に設けられ、前記表示部の回転動作にともなう前記突起部の軌跡をガイドすることにより、前記垂直昇降軸を上下方向に移動制御するレール部とを有することを特徴とする薄型表示装置。
【請求項１４】
前記請求項１３に記載の薄型表示装置において、
前記レール部は、略直線状或いは上側に凸形状を有することを特徴とする薄型表示装置。
【請求項１５】
前記請求項１３又は１４に記載の薄型表示装置において、
前記レール部の内周面に、前記突起部と係合する波形状部を設けたことを特徴とする薄型表示装置。
【請求項１６】
前記請求項１３乃至１５のいずれかに記載の薄型表示装置において、
前記突起部は、前記レール部の内面に当接しながら回転可能な回転体を有することを特徴とする薄型表示装置。
【請求項１７】
前記請求項１３乃至１６のいずれかに記載の薄型表示装置において、
前記レール部の内周面あるいは前記突起部の外周面に、前記突起部の前記レール部からの脱落を防止するための凹部又は凸部を設けたことを特徴とする薄型表示装置。
【請求項１８】
前記請求項１３乃至１７のいずれかに記載の薄型表示装置において、
前記レール部の内周面あるいは前記突起部の外周面に、前記レール部と前記突起部との摩擦を抑制するための布素材を貼設したことを特徴とする薄型表示装置。
【請求項１９】
前記請求項１３乃至１８のいずれかに記載の薄型表示装置において、
前記スタンド部に、前記垂直昇降軸の急激な上下移動を防止するための付勢部を設けたことを特徴とする薄型表示装置。
【請求項２０】
前記請求項１３乃至１９のいずれかに記載の薄型表示装置において、
前記レール部あるいは前記突起部に、前記突起部の急激な回転動作による衝撃を緩和するための付勢部を設けたことを特徴とする薄型表示装置。
【手続補正２】
【補正対象書類名】明細書
【補正対象項目名】０００６
【補正方法】変更
【補正の内容】
【０００６】
【課題を解決するための手段】
本願の第１の発明は、略長方形の表示面を持つ薄型の表示部と、前記表示部を支持するスタンド部と、前記表示部の背面における略中央部分に固設され、前記表示部を前記スタンド部に対して少なくとも９０°回転可能であるように保持する水平回転軸とを備えた薄型表示装置であって、前記水平回転軸の回転動作に連動して、該水平回転軸を上下方向に移動させることにより、前記表示部を上下方向に並進動作させる並進動作手段を設けたことを特徴とする。


【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
本願の第１０の発明は、前記スタンド部に、前記カム部の回転をガイドするためのガイド部を設けたことを特徴とする。


【手続補正５】
【補正対象書類名】明細書
【補正対象項目名】００１７
【補正方法】変更
【補正の内容】
【００１７】
本願の第１１の発明は、前記スタンド部に、前記カム部又は前記水平回転軸の一部と当接して前記水平回転軸の回転範囲を規制する回転規制部を設けたことを特徴とする。


【手続補正６】
【補正対象書類名】明細書
【補正対象項目名】００１８
【補正方法】変更
【補正の内容】
【００１８】
本願の第１２の発明は、前記並進動作手段が、前記表示部と前記スタンド部との双方に設けられていることを特徴とする。


【手続補正７】
【補正対象書類名】明細書
【補正対象項目名】００１９
【補正方法】変更
【補正の内容】
【００１９】
本願の第１３の発明は、前記並進動作手段が、前記表示部背面に設けられた少なくとも１つの突起部と、前記水平回転軸が回転自在に取り付けられた、上下方向に移動自在の垂直昇降軸と、前記スタンド部に設けられ、前記表示部の回転動作にともなう前記突起部の軌跡をガイドすることにより、前記垂直昇降軸を上下方向に移動制御するレール部とを有することを特徴とする。


【手続補正８】
【補正対象書類名】明細書
【補正対象項目名】００２０
【補正方法】変更
【補正の内容】
【００２０】
本願の第１４の発明は、前記レール部が、略直線状或いは上側に凸形状を有することを特徴とする。


【手続補正９】
【補正対象書類名】明細書
【補正対象項目名】００２１
【補正方法】変更
【補正の内容】
【００２１】
本願の第１５の発明は、前記レール部の内周面に、前記突起部と係合する波形状部を設けたことを特徴とする。


【手続補正１０】
【補正対象書類名】明細書
【補正対象項目名】００２２
【補正方法】変更
【補正の内容】
【００２２】
本願の第１６の発明は、前記突起部が、前記レール部の内面に当接しながら回転可能な回転体を有することを特徴とする。


【手続補正１１】
【補正対象書類名】明細書
【補正対象項目名】００２３
【補正方法】変更
【補正の内容】
【００２３】
本願の第１７の発明は、前記レール部の内周面あるいは前記突起部の外周面に、前記突起部の前記レール部からの脱落を防止するための凹部又は凸部を設けたことを特徴とする。


【手続補正１２】
【補正対象書類名】明細書
【補正対象項目名】００２４
【補正方法】変更
【補正の内容】
【００２４】
本願の第１８の発明は、前記レール部の内周面あるいは前記突起部の外周面に、前記レール部と前記突起部との摩擦を抑制するための布素材を貼設したことを特徴とする。


【手続補正１３】
【補正対象書類名】明細書
【補正対象項目名】００２５
【補正方法】変更
【補正の内容】
【００２５】
本願の第１９の発明は、前記スタンド部に、前記垂直昇降軸の急激な上下移動を防止するための付勢部を設けたことを特徴とする。


【手続補正１４】
【補正対象書類名】明細書
【補正対象項目名】００２６
【補正方法】変更
【補正の内容】
【００２６】
本願の第２０の発明は、前記レール部あるいは前記突起部に、前記突起部の急激な回転動作による衝撃を緩和するための付勢部を設けたことを特徴とする。